(57)【要約】【課題】この発明は、例えば曲名表示において、放送の中で曲が変わった場合に生じる不一致による違和感を低減する放送受信装置を提供することを目的としている。【解決手段】  この発明は、放送から表示に関する情報を取得し、表示に関する情報の変化を検出し、これが検出された場合には所定時間遅延させて出力して表示に関する情報を表示するように構成している。【選択図】  図１
2005136559.tif 000002
【特許請求の範囲】
【請求項１】
放送で送信される表示に関する情報を取得して表示を行う放送受信装置において、
表示に関する情報が含まれる放送を受信する放送受信手段と、
前記受信された放送から表示に関する情報を取得する表示情報取得手段と、
前記表示に関する情報の変化を検出する変化検出手段と、
表示に関する情報の変化が検出された場合に前記表示に関する情報を所定時間遅延させて出力する遅延手段と、
前記所定時間遅延されて出力された表示に関する情報を表示する表示手段とを備えることを特徴とする放送受信装置。
【請求項２】
放送で送信される表示に関する情報を取得して表示を行う放送受信装置において、
表示に関する情報が含まれる放送を受信する放送受信手段と、
前記受信された放送から表示に関する情報を取得する表示情報取得手段と、
前記表示に関する情報の変化を検出する変化検出手段と、
表示に関する情報の変化が検出された場合に前記表示に関する情報を所定時間遅延させるために一時的に記憶して出力する一時記憶手段と、
前記一時的に記憶されて出力された表示に関する情報を表示する表示手段とを備えることを特徴とする放送受信装置。
【請求項３】
放送で送信される表示に関する情報を取得して表示を行う放送受信装置において、
表示に関する情報が含まれる放送を受信する放送受信手段と、
前記受信された放送から表示に関する情報を取得する表示情報取得手段と、
前記表示に関する情報の変化を検出する変化検出手段と、
表示に関する情報の変化が検出された場合に前記表示に関する情報を所定時間遅延させるために一時的に記憶する一時記憶手段と、
前記一時記憶手段に記憶された前記表示に関する情報を出力する時間を計時する計時手段と
前記計時手段で計時された時間に基づいて前記一時記憶手段から出力される表示に関する情報を表示する表示手段とを備えることを特徴とする放送受信装置。
【請求項４】
前記表示に関する情報は曲の表示に関し、前記表示に関する情報の変化は曲の変化に関することを特徴とする請求項１乃至３に記載の放送受信装置。
【請求項５】
前記表示に関する情報はＥＩＴに基づく情報であることを特徴とする請求項４に記載の放送受信装置。
【請求項６】
前記ＥＩＴに基づく情報はＥＩＴ［ｐ］であることを特徴とする請求項５に記載の放送受信装置。
【請求項７】
表示に関する情報が含まれる放送を受信するステップと、
前記受信された放送から表示に関する情報を取得するステップと、
前記表示に関する情報の変化を検出するステップと、
表示に関する情報の変化が検出された場合に前記表示に関する情報を所定時間遅延させて出力するステップと、
前記所定時間遅延されて出力された表示に関する情報を表示するステップとを備えることを特徴とする放送受信方法。
【請求項８】
表示に関する情報が含まれる放送を受信するステップと、
前記受信された放送から表示に関する情報を取得するステップと、
前記表示に関する情報の変化を検出するステップと、
表示に関する情報の変化が検出された場合に前記表示に関する情報を所定時間遅延させるために一時的に記憶して出力するステップと、
前記一時的に記憶されて出力された表示に関する情報を表示するステップとを備えることを特徴とする放送受信方法。
【請求項９】
表示に関する情報が含まれる放送を受信するステップと、
前記受信された放送から表示に関する情報を取得するステップと、
前記表示に関する情報の変化を検出するステップと、
表示に関する情報の変化が検出された場合に前記表示に関する情報を所定時間遅延させるために一時的に記憶するステップと、
前記記憶された前記表示に関する情報を出力する時間を計時するステップと
前記計時された時間に基づいて前記一時記憶手段から出力される表示に関する情報を表示するステップとを備えることを特徴とする放送受信方法。
【発明の詳細な説明】
【技術分野】
【０００１】
この発明は、放送で送信される表示に関する情報を取得して表示を行う放送受信装置に関する。またこの発明は、携帯移動可能な放送受信装置に関する。
【背景技術】
【０００２】
現在、テレビジョン放送がデジタル化されつつある（デジタル放送）。また近年、このデジタル放送を携帯移動可能な放送受信装置で受信（モバイル放送の受信）することが提案されている。
【０００３】
モバイル放送等のデジタル放送においては、デジタル放送に含まれる表示に関する情報を、イベント記述子を用いて配信する。例えば、歌手名や曲名などのオプション情報はこのイベント記述子によって配信され、放送受信装置はこれを用いて表示に関する情報を表示する。
【０００４】
特許文献１にはデジタル放送受信において、ＰＡＴ、ＥＩＴ、ＮＩＴの記述が異なる場合にも受信可能なサービスを表示する技術が開示されている。しかしながら、この特許文献１は放送受信装置内での独自なアプリケーションに関するものではなく、例えば曲名表示において、放送の中で曲が変わった場合に、この情報がＥＩＴの更新周期の分だけ遅く表示されるが、これを考慮したものではなかった。
【特許文献１】特開２０００−２３６２７３号公報
【発明の開示】
【発明が解決しようとする課題】
【０００５】
そこで、この発明は上記事情を考慮してなされたもので、例えば曲名表示において、放送の中で曲が変わった場合に生じる不一致による違和感を低減することを目的とする。
【課題を解決するための手段】
【０００６】
この発明に係る放送受信装置は、表示に関する情報が含まれる放送を受信する放送受信手段と、前記受信された放送から表示に関する情報を取得する表示情報取得手段と、前記表示に関する情報の変化を検出する変化検出手段と、表示に関する情報の変化が検出された場合に前記表示に関する情報を所定時間遅延させて出力する遅延手段と、前記所定時間遅延されて出力された表示に関する情報を表示する表示手段とを備えるように構成している。
【０００７】
またこの発明に係る放送受信方法は、表示に関する情報が含まれる放送を受信するステップと、前記受信された放送から表示に関する情報を取得するステップと、
前記表示に関する情報の変化を検出するステップと、表示に関する情報の変化が検出された場合に前記表示に関する情報を所定時間遅延させて出力するステップと、前記所定時間遅延されて出力された表示に関する情報を表示するステップとを備えるように構成している。
【発明の効果】
【０００８】
上記した構成によれば、表示に関する情報の変化を検出し、これが検出された場合に表示に関する情報を所定時間遅延させて出力して表示を行うようにしたので例えば曲名表示において、曲と表示が一致し、放送の中で曲が変わった場合に生じる不一致による違和感を低減することが可能となる。このため、ユーザの利便性を向上させることが可能となる
。
【発明を実施するための最良の形態】
【０００９】
モバイル放送等のデジタル放送においては、コンテンツにＥＩＴ(Event Information Table)が付加されて送信される。ＥＩＴにはモバイル運用規定第四編Ver1.1 により、ＥＩＴ［ｐ］とＥＩＴ［ｆ］が定義されており、ＥＩＴ［ｐ］は現在の情報、すなわちpresentを示している。また、ＥＩＴ［ｆ］は将来の情報、すなわちfollowingを示している。
【００１０】
ＥＩＴ［ｐ］を用いたオプション情報の配信の場合は、ＥＩＴの更新期間が長い場合には、実際の放送内容と情報とのずれが生じる問題があった。
【００１１】
以下、図面を参照してこの発明の実施の形態を説明する。
【００１２】
図１はこの発明の実施の形態を示すもので、放送を受信する放送受信装置を示す図である。
【００１３】
ここでは放送受信装置１が曲情報の変化を検出した後に、一定期間（例えば５秒間）表示を中止する処理を行い、曲と曲情報の不一致を低減する例を用いて説明する。
【００１４】
符号１は放送受信装置（モバイルＴＶ）、符号７はアンテナ、符号１３は映像出力装置、符号１４はヘッドフォン（音声出力装置）、符号５０は放送用衛星、６０は放送用中継機である。
【００１５】
図示しない放送局から送信されたＢＳデジタル放送やＣＳデジタル放送は放送用衛星５０を経由して放送受信装置１のアンテナ７で受信される。また、今後放送される予定である地上波デジタル放送は放送用中継機を経由してアンテナ７で受信される。アンテナ７で受信された放送は後述するように映像または音声処理されて、映像は映像出力装置１３で表示され、音声は音声出力装置１４から出力される。尚、ここでは放送の例としてデジタル放送を用いて説明を行うが、上記付加情報が送信されるものであれば、放送はアナログ放送でもよい。
【００１６】
図２はこの発明の実施の形態を示すもので、放送受信装置の外観を示す図である。
【００１７】
符号４はユーザによって操作される操作キーである。符号１は上記のように放送受信装置、符号７はアンテナ、符号１３はモニタ、符号１４はスピーカである。
【００１８】
ユーザによって操作キー４が操作され、放送受信装置１の制御が指示される。
【００１９】
図３はこの発明の実施の形態を示すもので、放送受信装置の構成を示すブロック図である。
【００２０】
放送受信装置１は、バッテリ（電池）２、操作キー４、時計６、アンテナ７、チューナ８、ＣＰＵ９、主記憶メモリ（半導体メモリ）１０、不揮発性メモリ１１、映像信号処理部１２、モニタ（表示部、映像出力機器）１３、スピーカ（音声出力部、音声出力機器）１４を構成している。
【００２１】
操作キー４、時計６、アンテナ７、チューナ８、ＣＰＵ９、主記憶メモリ（半導体メモリ）１０、不揮発性メモリ１１、映像信号処理部１２、モニタ（表示部、映像出力機器）１３、スピーカ（音声出力部、音声出力機器）１４で使用される電力はバッテリ（電池）２から供給される。
【００２２】
操作キー４、時計６はＣＰＵ９と接続され、操作キー４、時計６から送信された情報はＣＰＵ９で受信される。またＣＰＵ９はチューナ８、主記憶メモリ（半導体メモリ）１０、不揮発性メモリ１１、映像信号処理部１２と接続され、操作キー４、時計６の情報を用いてこれらを制御する。ＣＰＵ９は不揮発性メモリ１１に記憶されたプログラムによって基本動作を行い、処理によって生じた情報を主記憶メモリ１０へ記憶する。
【００２３】
アンテナ７で受信されたデジタル放送はチューナ８へ送信され、上記のようにユーザによって操作キー４が操作され、ＣＰＵ９から選局の指示がチューナ８に送られることによって受信に係る選局動作が行われる。すなわち、表示に関する情報が含まれる放送が受信される（放送受信手段）。
【００２４】
チューナ８で選局された放送から放送信号が取得されＣＰＵ９へ送信され、受信された放送から表示に関する情報が取得される（表示情報取得手段）。
【００２５】
また、ＣＰＵ９は表示に関する情報の変化を検出する（変化検出手段）。
【００２６】
ＣＰＵ９で表示に関する情報の変化が検出された場合には、表示に関する情報を主記憶メモリ１０へ記憶する。そして時計６によって遅延時間を管理し、所定の時間（例えばここでは５秒間）遅延させて、表示に関する情報を主記憶メモリ１０から出力させる（遅延手段）。
【００２７】
主記憶メモリ１０から出力された情報、すなわち所定時間遅延されて出力された表示に関する情報は映像信号処理部１２を経てモニタ１３（表示手段）に表示される。
【００２８】
図４はこの発明の実施の形態を示すもので、曲情報の変化に対応した処理を説明する図である。
【００２９】
ここでは、ａ）に示すように曲Ａと曲Ｂが切り換わっている。このとき、ｂ）に示すように曲Ａには上記説明したＥＩＴ［ｐ］（ＥＩＴ［ｐ］曲Ａ、ＥＩＴ［ｐ］曲Ａ）がデジタル放送に付加されて送信されている。また、曲Ｂには上記説明したＥＩＴ［ｐ］（ＥＩＴ［ｐ］曲Ｂ、ＥＩＴ［ｐ］曲Ｂ）がデジタル放送に付加されて送信されるが、図に示すように、曲ＡとＥＩＴ［ｐ］曲Ａおよび曲ＢとＥＩＴ［ｐ］曲Ｂのタイミングが必ずしも一致しない。
【００３０】
このとき、上記説明したようにＥＩＴ［ｐ］曲ＡからＥＩＴ［ｐ］曲Ｂへの変化、すなわち表示に関する情報の変化を検出し、これが検出された場合には表示に関する情報（端末表示曲Ｂ）の出力を所定時間中止し、遅延させて表示装置（モニタ）１３へ出力する。このとき、表示に関する情報は遅延ではなく、消去してもよい。
【００３１】
図５はこの発明の実施の形態を示すもので、曲情報の変化に対応した処理を説明するフローチャートである。
【００３２】
符号１００はここでの開始ステップである。続いて符号１０１を付したステップへ進む。
【００３３】
符号１０１は放送を受信するステップである。続いて符号１０２を付したステップへ進む。
【００３４】
符号１０２はＥＩＴ［ｐ］、すなわちここでは曲情報を所得するステップである。続い
て符号１０３を付したステップへ進む。
【００３５】
符号１０３は曲情報の変化を判断するステップである。曲情報に変化がある場合は符号１０４を付したステップへ進む（Ｙｅｓ）。曲情報に変化がない場合は符号１０２を付したステップへ戻り上記処理を繰り返す（Ｎｏ）。
【００３６】
符号１０４は曲情報の表示を所定時間（ここでは５秒間）停止するステップである。続いて符号１０５を付したステップへ進む。
【００３７】
符号１０６は曲情報を表示するステップである。続いて符号１０６を付したステップへ進む。
【００３８】
符号１０６は終了ステップであり、ここでの処理は終了する。
【００３９】
なお、この発明は上記した実施の形態そのままに限定されるものではなく、実施段階ではその趣旨を逸脱しない範囲で構成要素を種々変形して具体化することができる。
【図面の簡単な説明】
【００４０】
【図１】この発明の実施の形態を示すもので、放送を受信する放送受信装置を示す図。
【図２】この発明の実施の形態を示すもので、放送受信装置の外観を示す図。
【図３】この発明の実施の形態を示すもので、放送受信装置の構成を示すブロック図。
【図４】この発明の実施の形態を示すもので、曲情報の変化に対応した処理を説明する図。
【図５】この発明の実施の形態を示すもので、曲情報の変化に対応した処理を説明するフローチャート。
【符号の説明】
【００４１】
１…放送受信装置（モバイルＴＶ）、２…バッテリ（電池）、４…操作キー、６…時計、７…アンテナ、８…チューナ、９…ＣＰＵ、１０…主記憶メモリ（半導体メモリ）、１１…不揮発性メモリ、１２…映像信号処理部、１３…モニタ（表示部、映像出力機器）、１４…スピーカ（音声出力部、音声出力機器）、５０…放送用衛星、６０…放送用中継機。
【図１】
2005136559.tif 000003
【図２】
2005136559.tif 000004
【図３】
2005136559.tif 000005
【図４】
2005136559.tif 000006
【図５】
2005136559.tif 000007